(57)【要約】【課題】灯具の機能によらず照明装置自体の機能によって照明範囲を制御可能な照明装置を提供する。【解決手段】素子搭載面１１２，１２２と、当該素子搭載面１１２，１２２に搭載された半導体発光素子１１４，１２５とを有する光源ユニット１１０，１２０を複数備え、それら光源ユニット１１０，１２０のうちの第１の光源ユニット１１０は、当該第１の光源ユニット１１０が有する仮想軸を中心に前記第１の光源ユニット１１０とは異なる第２の光源ユニット１２０から独立して回転可能であり、その回転によって前記第２の光源ユニット１２０の素子搭載面１２２に対する前記第１の光源ユニット１１０の素子搭載面１１２の傾きが可変可能である構成とする。【選択図】図７
2011082075.tif 000002
【特許請求の範囲】
【請求項１】
素子搭載面と、当該素子搭載面に搭載された半導体発光素子とを有する光源ユニットを複数備え、
それら光源ユニットのうちの第１の光源ユニットは、当該第１の光源ユニットが有する仮想軸を中心に前記第１の光源ユニットとは異なる第２の光源ユニットから独立して回転可能であり、その回転によって前記第２の光源ユニットの素子搭載面に対する前記第１の光源ユニットの素子搭載面の傾きが可変可能であることを特徴とする照明装置。
【請求項２】
前記第２の光源ユニットは当該第２の光源ユニットが有する仮想軸を中心に回転可能であり、その回転によって前記第２の光源ユニットの素子搭載面の傾きが可変可能であることを特徴とする請求項１記載の照明装置。
【請求項３】
前記複数の光源ユニットの全てが個々の有する仮想軸を中心に各個独立して回転可能であり、それぞれの回転によって前記各光源ユニットの素子搭載面の傾きが可変可能であることを特徴とする請求項２記載の照明装置。
【請求項４】
前記第１及び第２の光源ユニットのそれぞれは外周面に前記素子搭載面が形成された筒状の筐体を備え、前記第１の光源ユニットの筐体はその筒軸が前記第２の光源ユニットの筐体の筒軸と一致した状態で前記第２の光源ユニットの筐体の内部に収容されており、前記第１の光源ユニットはその筐体の筒軸を前記仮想軸として回転可能であって、前記第２の光源ユニットの筐体には前記第１の光源ユニットの半導体発光素子の光を前記第２の光源ユニットの筐体の外部へと出射させるためのスリットが前記第１の光源ユニットの回転方向に沿って形成されていることを特徴とする請求項１から３のいずれかに記載の照明装置。
【請求項５】
前記第２の光源ユニットの筐体の両端部には直管形蛍光ランプ用口金の規格寸法に準じた形状を有する口金ユニットが取り付けられていることを特徴とする請求項４記載の照明装置。
【請求項６】
前記複数の光源ユニットは連結部材を介して直列に連結されてなるストレート状の連結体を構成し、当該連結体の長手方向両端部にはそれぞれ直管形蛍光ランプ用口金の規格寸法に準じた形状を有する口金ユニットが取り付けられており、前記各光源ユニットは前記連結部材の中心軸を前記仮想軸として各個独立して回転可能であることを特徴とする請求項１から３のいずれかに記載の照明装置。
【請求項７】
前記複数の光源ユニットは連結部材を介して直列に連結されてなる略Ｃ形状の連結体を構成し、当該連結体の両端部は環形蛍光ランプ用口金の規格寸法に準じた形状を有する口金ユニットを介して連結されており、前記各光源ユニットは前記連結部材の中心軸を前記仮想軸として各個独立して回転可能であることを特徴とする請求項１から３のいずれかに記載の照明装置。
【請求項８】
前記各光源ユニットは、一方の主面に前記素子搭載面を有する長尺板状の筐体と、当該筐体を長手方向両端部で支持する一対の支持部材とを備え、前記一対の支持部材の中心軸を前記仮想軸として各個独立して回転可能であって、全ての前記光源ユニットの前記仮想軸が同一平面上で間隔を空けて平行に並ぶように配置されていることを特徴とする請求項１から３のいずれかに記載の照明装置。
【発明の詳細な説明】
【技術分野】
【０００１】
本発明は、半導体発光素子を光源として用いた照明装置に関し、特に照明範囲を制御可能な照明装置に関する。
【背景技術】
【０００２】
従来から、発光ダイオード（ＬＥＤ）、半導体レーザーダイオード（ＬＤ）、電界発光素子（ＥＬ）などの半導体発光素子を照明装置の光源に用いることが行われている（特許文献１）。半導体発光素子は、水銀や鉛といった有害物質を含まないため、環境に優しい光源である。
【先行技術文献】
【特許文献】
【０００３】
【特許文献１】特開２００２−２８９００４
【発明の概要】
【発明が解決しようとする課題】
【０００４】
ところで、照明装置は、例えば部屋全体を広範囲に照らしたり部屋の一部だけをスポット的に照らしたり、そのときの状況に合わせて照明範囲の大きさや位置を制御できると便利である。しかしながら、特許文献１に係る照明装置のような本体の外周面全体が発光する構成では照明装置自体の機能で照明範囲を制御することは困難である。
そのため、照明範囲を制御したい場合は、照明装置が取り付けられる灯具側に照明範囲を制御する機能を付与するのが一般的である。例えば光源に対する反射面の角度を可変可能な反射板を灯具側に設けることによって、照明装置自体ではなく灯具の機能によって照明範囲を制御することが可能である。しかしながら、そのような機能を付与することによって灯具の構造が複雑になってしまい、その結果灯具が大型化するため好ましくない。
【０００５】
本発明は、上記の課題に鑑み、灯具の機能によらず照明装置自体の機能によって照明範囲を制御可能な照明装置を提供することを目的とする。
【課題を解決するための手段】
【０００６】
上記目的を達成するため、本発明の一態様に係る照明装置は、素子搭載面と、当該素子搭載面に搭載された半導体発光素子とを有する光源ユニットを複数備え、それら光源ユニットのうちの第１の光源ユニットは、当該第１の光源ユニットが有する仮想軸を中心に前記第１の光源ユニットとは異なる第２の光源ユニットから独立して回転可能であり、その回転によって前記第２の光源ユニットの素子搭載面に対する前記第１の光源ユニットの素子搭載面の傾きが可変可能であることを特徴とする。
【発明の効果】
【０００７】
本発明の一態様に係る照明装置は、第１の光源ユニットが第２の光源ユニットから独立して回転可能であり、その回転によって前記第２の光源ユニットの素子搭載面に対する前記第１の光源ユニットの素子搭載面の傾きが可変可能であるため、照明装置自体の機能によって照明範囲を制御可能である。
【図面の簡単な説明】
【０００８】
【図１】第１の実施形態に係る照明装置を示す斜視図
【図２】第１の実施形態に係る照明装置を示す分解斜視図
【図３】第１の実施形態に係る照明装置を示す平面図
【図４】図３におけるＡ−Ａ線に沿った断面矢視図
【図５】図３におけるＢ−Ｂ線に沿った断面矢視図
【図６】図３におけるＣ−Ｃ線に沿った断面矢視図
【図７】第１の実施形態に係る照明装置の照明範囲の制御態様を説明するための図であって、（ａ）は照明範囲を小さくする場合を示す図、（ｂ）は照明範囲を大きくする場合を示す図
【図８】第２の実施形態に係る照明装置を示す斜視図
【図９】第２の実施形態に係る照明装置を示す横断面図
【図１０】第２の実施形態に係る照明装置における光源ユニット同士の連結機構及び光源ユニットと口金ユニットとの連結機構を説明するための図
【図１１】第２の実施形態の変形例に係る光源ユニットを示す斜視図
【図１２】第３の実施形態に係る照明装置を示す斜視図
【図１３】第３の実施形態に係る照明装置を示す斜視図
【図１４】第３の実施形態に係る照明装置を示す一部破断平面図
【図１５】第３の実施形態の変形例に係る光源ユニットを示す斜視図
【図１６】第４の実施形態に係る照明装置を示す正面図
【図１７】第４の実施形態に係る照明装置を示す斜視図
【図１８】第４の実施形態に係る照明装置の照明範囲の制御態様を説明するための図であって、（ａ）は照明範囲を小さくする場合を示す図、（ｂ）は照明範囲を大きくする場合を示す図
【図１９】第４の実施形態の変形例に係る照明装置を示す斜視図
【発明を実施するための形態】
【０００９】
以下、本発明に係る照明装置の一実施形態を、図面を参照しながら説明する。
［第１の実施形態］
図１は第１の実施形態に係る照明装置を示す斜視図、図２は分解斜視図、図３は平面図である。図４は図３におけるＡ−Ａ線に沿った断面矢視図、図５はＢ−Ｂ線に沿った断面矢視図、図６はＣ−Ｃ線に沿った断面矢視図である。図７は、照明範囲の制御態様を説明するための図であって、（ａ）は照明範囲を小さくする場合を示す図、（ｂ）は照明範囲を大きくする場合を示す図である。
【００１０】
図１〜３に示すように、第１の実施形態に係る照明装置１００は、第１の光源ユニット１１０と、第２の光源ユニット１２０と、一対の口金ユニット１３０，１４０とを備え、直管形蛍光ランプの規格寸法に準じた形状を有する。なお、本願において直管形蛍光ランプとは、ＪＩＳ  Ｃ  ７６０１に定義されている直管形蛍光ランプ（一般照明用）である。照明装置１００は、直管形蛍光ランプの規格寸法に準じた形状を有するため、直管形蛍光ランプの代替品として既存の灯具に取り付けて使用することができる。
【００１１】
図２に示すように、第１の光源ユニット１１０は、略円筒状の第１の筐体１１１を備える。第１の筐体１１１の外周面には第１の素子搭載面１１２が形成されており、当該第１の素子搭載面１１２に複数の第１の基板１１３を介して複数の第１の半導体発光素子１１４が搭載されている。また、第１の筐体１１１の両端部にはそれぞれ第１の回転操作部材１１５が取り付けられている。
【００１２】
第１の素子搭載面１１２は、第１の筐体１１１の外周面の一部を筒軸方向に沿って削り取ったような態様で前記第１の筐体１１１の全長に亘って帯状に形成されている。第１の基板１１３は、第１の素子搭載面１１２上に、第１の筐体１１１の筒軸方向に沿って等間隔に複数並べて設けられている。第１の半導体発光素子１１４は、各第１の基板１１３にそれぞれ１つずつ実装されている。
【００１３】
図４に示すように、第１の回転操作部材１１５は、摘み部１１５ａと当該摘み部１１５ａの一端部に延設された一対の係合爪１１５ｂとからなり、図２に示すように、第１の素子搭載面１１２の長手方向両端部に形成された各取付孔１１６に前記一対の係合爪１１５ｂをそれぞれ差し込み係合させることによって第１の筐体１１１に取り付けられている。
図１〜３に示すように、第２の光源ユニット１２０は、略円筒状の第２の筐体１２１を備える。第２の筐体１２１の外周面には複数のスリット１２２と第２の素子搭載面１２３とが形成されており、当該第２の素子搭載面１２３には複数の第２の基板１２４を介して複数の第２の半導体発光素子１２５が搭載されている。また、第２の筐体１２１の両端部にはそれぞれ第２の回転操作部材１２６が取り付けられている。
【００１４】
スリット１２２は、それぞれが第２の筐体１２１の周方向に沿って形状された円弧状であって、それらが前記第２の筐体１２１の管軸方向に沿って等間隔に複数並べて配置されている。第２の素子搭載面１２３は、各スリット１２２の周方向における中央を横切るようにして、第２の筐体１２１の筒軸方向に沿って、前記第２の筐体１２１の外周面の一部を削り取ったような態様で、各スリット１２２間に形成されている。第２の基板１２４は、第２の素子搭載面１２３上に、第２の筐体１２１の筒軸方向に沿って等間隔に複数並べて設けられている。第２の半導体発光素子１２５は、各第２の基板１２４にそれぞれ１つずつ実装されている。
【００１５】
図４に示すように、第２の回転操作部材１２６は、滑り止めのための複数の溝が外周面に形成されたリング状の部材であって、第２の筐体１２１の外径と略同じ大きさの内径を有し、前記第２の筐体１２１に外嵌された状態で前記第２の筐体１２１に固着されている。第２の回転操作部材１２６には周方向に沿って溝部１２７が形成されており、当該溝部１２７内に第１の回転操作部材１１５の摘み部１１５ａが配置されている。
【００１６】
第２の筐体１２１の内径は第１の筐体１１１の外径と略同じであり、前記筐体１２１の内部に前記第１の筐体１１１が収容されている。収容された状態において、第１の筐体１１１の筒軸と第２の筐体１２１の筒軸とは略一致しており、また、第１の基板１１３はスリット１２２を介して第２の筐体１２１の外部から見える位置に配置されている。したがって、第１の基板１１３に実装される半導体発光素子１１４の光は第２の光源ユニット１２０の筐体１２１の外部へと出射する。なお、第１の基板１１３は、第１の筐体１１１を第２の筐体１２１の内部に差し込む際に当該第２の筐体１２１の内壁に当たって邪魔にならぬよう、厚み及び大きさが調製されている。
【００１７】
図１に示すように、第１の筐体１１１はその筒軸を中心として前記第２の筐体１２１から独立して回転可能であって、前記筒軸が第１の光源ユニット１１０の回転中心となる仮想軸である。第１の光源ユニット１１０を回転させると、その回転によって第１の素子搭載面１１２の傾きが変わる。第１の素子搭載面１１２は平面であって、第１の基板１１３はその素子実装面が前記第１の素子搭載面１１２と平行になるようにして前記第１の素子搭載面１１２上に設けられており、第１の半導体発光素子１１４は主として第１の基板１１３の素子実装面と直交する方向、すなわち第１の素子搭載面１１２と直交する方向に白色光を出射する。第１の素子搭載面１１２の傾きが変われば第１の半導体発光素子１１４の出射方向も変わる。
【００１８】
なお、第１の光源ユニット１１０を回転させても、第１の半導体発光素子１１４はスリット１２２内を移動するため、前記第１の光源ユニット１１０の回転を妨げない。また、第１の基板１１３は、上述したように第２の筐体１２１の内壁に当たって邪魔にならない厚み及び大きさに調製されているため、第１の筐体１１１の回転を妨げない。
第１の筐体１１１は、第１の回転操作部材１１５の摘み部１１５ａを摘んで当該摘み部１１５ａを溝部１２７に沿って移動させると、その移動に伴って回転する。例えば溝部１２７が回転角約１８０°の範囲で形成されている場合は摘み部１１５ａを回転角約１８０°の範囲で移動させることができ、第１の筐体１１１は第２の筐体１２１に対して約１８０°回転可能になる。
【００１９】
摘み部１１５ａは溝部１２７に沿って移動させることしかできないため、すなわち第２の筐体１２１の筒軸方向には移動させることができないため、第１の筐体１１１も第２の筐体１２１に対して当該第２の筐体１２１の筒軸方向には移動しない。したがって、第１の筐体１１１が第２の筐体１２１の内部から抜け落ちることがない。
第１の筐体１１１及び第２の筐体１２１は、例えばアルミニウムやアルミニウム合金などの放熱性に優れた材料からなり、ヒートシンクとしての役割を果たす。したがって、点灯中の第１の半導体発光素子１１４及び第２の半導体発光素子１２５を低温に保つことができ、これにより前記第１の半導体発光素子１１４及び第２の半導体発光素子１２５の光出力を向上させることができる。なお、第１の筐体１１１及び第２の筐体１２１の材料にグラファイトを使用することで、ヒートシンクとしての役割を維持しつつ軽量化を図ることもできる。
【００２０】
第２の筐体１２１の両端部には一対の口金ユニット１３０，１４０が取り付けられている。口金ユニット１３０，１４０は、Ｇ５、Ｇ１３に定義されている直管形蛍光ランプ用口金の規格寸法に準じた形状を有し、有底筒状の胴体部１３１，１４１と、当該胴体部１３１，１４１の底壁に取り付けられた接続ピン１３２，１４２と、同じく底壁に取り付けられたダミーピン１３３，１４３とを有し、胴体部１３１，１４１が第２の筐体１２１の両端部に外嵌されている。
【００２１】
図５に示すように、口金ユニット１３０，１４０の胴体部１３１，１４１の側壁には内側に突出する一対の突起１３４，１４４が設けられており、それら一対の突起１３４，１４４が第２の筐体１２１の両端部に当該第２の筐体１２１の周方向に沿って形成された一対の溝部１２８内にそれぞれ配置されている。突起１３４，１４４が溝部１２８内を移動可能であるため、第２の筐体１２１は口金ユニット１３０，１４０から独立して前記第２の筐体１２１の筒軸を中心に回転可能であって、前記筒軸が第２の光源ユニット１２０の回転中心となる仮想軸である。
【００２２】
なお、突起１３４，１４４が溝部１２８内でしか移動できないため、第２の筐体１２１は口金ユニット１３０，１４０に対して所定の回転角以上は回転しない。例えば溝部１２８が回転角１７０°の範囲で形成されている場合、第２の筐体１２１は口金ユニット１３０，１４０に対して１７０°まで回転可能である。なお、突起１３４，１４４が溝部１２８内でしか移動できないため、口金ユニット１３０，１４０が第２の筐体１２１から外れないようになっている。
【００２３】
照明装置１００は、口金ユニット１３０，１４０の接続ピン１３２，１４２及びダミーピン１３３，１４３を灯具（不図示）のソケットのピン孔に差し込むことによって前記灯具に取り付けられる。照明装置１００が灯具に取り付けられた状態において、口金ユニット１３０，１４０は前記灯具のソケットに固定されるため回転できない。この状態で第２の回転操作部材１２６を掴んで回転させると、第２の回転操作部材１２６に固着された第２の筐体１２１も回転し、すなわち第２の光源ユニット１２０が回転することになる。この回転により第２の素子搭載面１２１の傾きが変化する。
【００２４】
第２の回転操作部材１２６を回転させる際に、第１の回転操作部材１１５を摘んで固定しておけば、第２の光源ユニット１２０だけが回転し、第１の光源ユニット１１０は回転せず、第１の素子搭載面１１２に対する第２の素子搭載面１２３の傾きが変わる。一方、第１の回転操作部材１１５を摘んで固定しなければ、第２の筐体１２１の内周面と第１の筐体１１１の外周面との摩擦により第２の光源ユニット１２０の回転に連動して第１の光源ユニット１１０も回転するため、第２の素子搭載面１２３と同じ回転角度で第１の素子搭載面１１２の傾きも変わり、前記第１の素子搭載面１１２と前記第２の素子搭載面１２３との相対的な傾きは変わらない。
【００２５】
さらに、第２の回転操作部材１２６を掴んで固定しておき、第１の回転操作部材１１５を摘んで回転させると、第１の光源ユニット１１０だけが回転し、第２の光源ユニット１２０は回転せず、第２の素子搭載面１２３に対する第１の素子搭載面１１２の傾きが変わる。一方、第２の回転操作部材１２６を掴んで固定しなければ、第２の筐体１２１の内周面と第１の筐体１１１の外周面との摩擦により第１の光源ユニット１１０の回転に連動して第２の光源ユニット１２０も回転するため、第１の素子搭載面１１２と同じ回転角度で第２の素子搭載面１２３の傾きも変わり、前記第２の素子搭載面１２３と前記第１の素子搭載面１１２との相対的な傾きは変わらない。
【００２６】
図２に示すように、第１の半導体発光素子１１４及び第２の半導体発光素子１２５には、口金ユニット１３０，１４０を介して灯具のソケットから電力が供給される。口金ユニット１３０の接続ピン１３２は導線１６１を介して点灯回路ユニット１５０と電気的に接続されており、口金ユニット１４０の接続ピン１４２は導線１６２を介して前記点灯回路ユニット１５０と電気的に接続されている。
【００２７】
点灯回路ユニット１５０は、第１の筐体１１１の内部に収容されており、基板及び当該基板に実装されたダイオードブリッジ、電解コンデンサ、差動アンプ、マイコンなどの複数の電子部品を備え、第１の半導体発光素子１１４及び第２の半導体発光素子１２５を点灯させる点灯回路を構成している。
第１の半導体発光素子１１４及び第２の半導体発光素子１２５は、導線１６３ａ，１６３ｂ，１６３ｃを介して点灯回路ユニット１５０と電気的に接続されている。具体的には、点灯回路ユニット１５０に接続された導線１６３ａによって第２の基板１２４の全てが直列に接続されており、前記導線１６３ａと繋がっている導線１６３ｂによって第１の基板１１３の全てが直列に接続されており、前記導線１６３ｂと繋がっている導線１６３ｃが前記点灯回路ユニット１５０に接続されている。
【００２８】
図６に示すように、第２の筐体１２１の内周面には、導線１６２を収容するための経路１６４と、導線１６３ａを収容するための経路１６５とが形成されている。導線１６２が経路１６４内に収容され、導線１６３ａが経路１６５内に収容されているため、第１の光源ユニット１１０と第２の光源ユニット１２０とが連動せず回転しても、前記導線１６２や導線１６３ａがその回転を妨げることがない。また、第１の筐体１１１の内周面には経路１６６が形成されており、当該経路１６６内に導線１６３ｂが収容されている。
【００２９】
第１の筐体１１１における第１の基板１１３が設けられる位置には経路１６６から第１の素子搭載面１１２まで貫通する貫通孔１６７が形成されており、当該貫通孔１６７を介して導線１６３ｂが各第１の基板１１３と電気的に接続されている。また、第２の筐体１２１における第２の基板１２４が設けられる位置には経路１６５から第２の素子搭載面１２３まで貫通する貫通孔１６８が形成されており、当該貫通孔１６８を介して導線１６３ａが各第２の基板１２４と電気的に接続されている。
【００３０】
第１の基板１１３には、導線１６３ｂと第１の半導体発光素子１１４とを電気的に接続するための配線パターン（不図示）が形成されており、第２の基板１２４には、導線１６３ａと第２の半導体発光素子１２５とを電気的に接続するための配線パターン（不図示）が形成されている。第１の半導体発光素子１１４及び第２の半導体発光素子１２５は、例えば下面にＰ型電極とＮ型電極との両極を備える片面電極型であって、第１の基板１１３又は第２の基板１２４の実装面に例えばダイボンディングされることによって前記第１の基板１１３又は第２の基板１２４の配線パターンと接続されている。
【００３１】
第１の光源ユニット１１０と第２の光源ユニット１２０とを例えば図７（ａ）のような状態にすれば、第１の半導体発光素子１１４の出射方向と第２の半導体発光素子１２５の出射方向とを揃えることができ、照明範囲を小さくすることができる。一方、第１の光源ユニット１１０と第２の光源ユニット１２０とを例えば図７（ｂ）のような状態にすれば、第１の半導体発光素子１１４の出射方向と第２の半導体発光素子１２５の出射方向とを異ならしめることができ、照明範囲を大きくすることができる。
【００３２】
さらに、第１の光源ユニット１１０と第２の光源ユニット１２０とを連動して回転させれば、照明範囲の大きさを変えることなく、照明範囲の位置を変えることもできる。
［第２の実施形態］
図８は第２の実施形態に係る照明装置を示す斜視図、図９は横断面図であり、図１０は光源ユニット同士の連結機構及び光源ユニットと口金ユニットとの連結機構を説明するための図である。
【００３３】
図８に示すように、第２の実施形態に係る照明装置２００は、直列に連結されてストレート状の連結体２０１を構成する複数の光源ユニット２１０と、前記連結体２０１の長手方向両端部に取り付けられた一対の口金ユニット２２０，２３０とを備え、直管形蛍光ランプの規格寸法に準じた形状を有する。一対の口金ユニット２２０，２３０は、直管形蛍光ランプ用口金の規格寸法に準じた形状を有する。
【００３４】
第２の実施形態に係る照明装置２００において、第１の光源ユニットとは複数の光源ユニット２１０のうちのいずれか１つであり、第２の光源ユニットとは複数の光源ユニット２１０のうちの前記第１の光源ユニット以外のいずれか１つである。
光源ユニット２１０は、略正四角筒状の筐体２１１を備える。筐体２１１は外周面を構成する４つの略長方形の側面のうちの１つが素子搭載面２１２となっており、当該素子搭載面２１２に略長方形の基板２１３を介して複数の半導体発光素子２１４が搭載されている。
【００３５】
図９に示すように、筐体２１１の両方の開口はそれぞれ略正方形の壁体２１５で塞がれており、当該壁体２１５の略中央には円形の連結孔２１６が形成されている。なお、筐体２１１の材料については、第１の実施形態に係る第１の筐体１１１及び第２の筐体１２１の材料についてと同様である。
図１０に示すように、隣接する光源ユニット２１０同士は、連結部材２４０の一端側を一方の光源ユニット２１０における他方の光源ユニット２１０側の連結孔２１６に挿入し，前記連結部材２４０の他端側を前記他方の光源ユニット２１０における前記一方の光源ユニット２１０側の連結孔２２６に挿入することで連結されている。
【００３６】
連結部材２４０は、円筒状の本体部２４１を備え、当該本体部２４１の両端部はそれぞれ４本のスリット２４２によって４つの舌片２４３に分割されており、各舌片２４３の先端外側には爪部２４４が設けられている。連結部材２４０の外径は、本体部２４１においては連結孔２２６の径と略同じであるが、爪部２４４においては前記連結孔２２６よりも大きくなっている。
【００３７】
連結孔２１６に連結部材２４０の一端側又は他端側を押し込むと、爪部２４４が連結孔２１６を通って筐体２１１の内部に入り込む。連結部材２４０の外径は爪部２４４において連結孔２１６の径よりも大きいが、舌片２４３のばね作用によって前記連結孔２１６を通過する際には前記爪部２４４同士が互いに近づくよう前記連結部材２４０が変形するため、前記爪部２４４は前記連結孔２１６を通過することができる。筐体２１１の内部に爪部２４４が入り込むと、舌片２４３のばね作用により連結部材２４０は元の形状に戻るため、前記爪部２４４が壁体２１５に引っ掛かって連結部材２４０が連結孔２１６から抜けなくなる。
【００３８】
なお、図９に示すように、連結部材２４０の長手方向両側に位置する爪部２４４間の距離Ｌを、壁体２１５の２枚分の厚みと略同じにすることにより、光源ユニット２１０同士を壁体２１５間に隙間がないように連結することができる。
各光源ユニット２１０は、連結部材２４０から独立して当該連結部材２４０を中心軸として（本体部２４１の筒軸を中心として）３６０°回転可能である。したがって、各光源ユニット２１０は他の光源ユニット２１０からも独立して３６０°回転可能である。
【００３９】
壁体２１５の略中央に連結孔２１６が形成されているため、連結部材２４０の本体部２４１の筒軸と筐体２１１の筒軸とは一致している。したがって、全ての光源ユニット２１０は筐体２１１の筒軸を中心として３６０°回転可能であり、前記筒軸が光源ユニット２１０の回転中心となる仮想軸である。なお、全ての光源ユニット２１０の仮想軸は一致している。
【００４０】
光源ユニット２１０を回転させると、その回転によって素子搭載面２１２の傾きが変わる。素子搭載面２１２は平面であって、基板２１３はその素子実装面が前記素子搭載面２１２と平行になるようにして前記素子搭載面２１２上に設けられている。そして、半導体発光素子２１４は、主として基板２１３の素子実装面と直交する方向、すなわち、素子搭載面２１２と直交する方向に白色光を出射する。したがって、素子搭載面２１２の傾きが変われば半導体発光素子２１４の出射方向が変わる。
【００４１】
図９に示すように、口金ユニット２２０，２３０は、略円筒状の胴体部２２１，２３１と、当該胴体部２２１，２３１の一方の開口を塞ぐ略円形の壁体２２２，２３２と、当該壁体２２２，２３２に取り付けられた接続ピン２２３，２３３及びダミーピン２２４，２３４とを有する。さらに、口金ユニット２２０，２３０は、胴体部２２１，２３１の他方の開口を塞ぐ略円形の壁体２２５，２３５を有し、当該壁体２２５，２３５の略中央には円形の連結孔２２６，２３６が形成されている。連結孔２２６，２３６の径は、連結部材２４０の本体部２４１の外径と略同じであり、光源ユニット２１０の連結孔２１６の径とも略同じである。
【００４２】
光源ユニット２１０と口金ユニット２２０とは、連結部材２４０の一端側を光源ユニット２１０における口金ユニット２２０側の連結孔２１６に挿入し，前記連結部材２４０の他端側を前記口金ユニット２２０の連結孔２２６に挿入することで連結されている。
連結孔２２６に連結部材２４０の他端側を押し込むと、爪部２４４が連結孔２２６を通って胴体部２２１の内部に入り込む。連結部材２４０の外径は爪部２４４において連結孔２２６の径よりも大きいが、舌片２４３のばね作用によって前記連結孔２２６を通過する際には前記爪部２４４同士が互いに近づくよう前記連結部材２４０が変形するため、前記爪部２４４は前記連結孔２２６を通過することができる。
【００４３】
胴体部２２１の内部に爪部２４４が入り込むと、舌片２４３のばね作用により連結部材２４０は元の形状に戻るため、前記爪部２４４が壁体２２５に引っ掛かって連結部材２４０が連結孔２２６から抜けなくなる。なお、光源ユニット２１０の壁体２１５の厚みと口金ユニット２２０の壁体２２５の厚みとの総和を、連結部材２４０の長手方向両側に位置する爪部２４４間の距離Ｌと略同じにすることにより、光源ユニット２１０と口金ユニット２２０とを前記壁体２１５と前記壁体２２５との間に隙間がないように連結することができる。
【００４４】
口金ユニット２２０は、連結部材２４０から独立して当該連結部材２４０を中心軸として（本体部２４１の筒軸を中心として）３６０°回転可能である。したがって、口金ユニット２２０は全ての光源ユニット２１０からも独立して３６０°回転可能である。壁体２２５の略中央に連結孔２２６が形成されているため、本体部２４１の筒軸と胴体部２３１の筒軸とは一致している。
【００４５】
なお、口金ユニット２３０は口金ユニット２２０と同じ部材であり、光源ユニット２１０との連結態様は前記口金ユニット２２０と同様である。したがって、口金ユニット２３０と光源ユニット２１０との連結態様についての説明は省略する。
照明装置２００は、口金ユニット２２０，２３０の接続ピン２２３，２３３及びダミーピン２２４，２３４を灯具（不図示）のソケットのピン孔に差し込むことによって前記灯具に取り付けられる。照明装置２００が灯具に取り付けられた状態において、口金ユニット２２０，２３０は前記灯具のソケットに固定されるため回転できない。この状態でいずれかの光源ユニット２１０の筐体２１１を掴んで回転させると、その回転により素子搭載面２１２の傾きが変化する。
【００４６】
半導体発光素子２１４には、口金ユニット２２０，２３０を介して灯具のソケットから電力が供給される。口金ユニット２２０の接続ピン２２３は導線２６１を介して点灯回路ユニット２５０と電気的に接続されており、口金ユニット２３０の接続ピン２３３は導線２６２を介して前記点灯回路ユニット２５０と電気的に接続されている。全ての半導体発光素子２１４は、導線２６３を介して直列に接続されており、さらに点灯回路ユニット２５０と電気的に接続されている。各導線２６１，２６２，２６３は連結部材２４０の内部を経由して引き廻されている。なお、点灯回路ユニット２５０は、第１の実施形態に係る点灯回路ユニット１５０と同様の構成を有し、いずれかの光源ユニット２１０の筐体２１１の内部に収容されている。
【００４７】
筐体２１１における基板２１３が設けられる位置には筐体２１１内部から素子搭載面２１２まで貫通する貫通孔２６４が形成されており、当該貫通孔２６４を介して導線２６３が各基板２１３と電気的に接続されている。
基板２１３には、導線２６３と半導体発光素子２１４とを電気的に接続するための配線パターン（不図示）が形成されている。半導体発光素子２１４は、例えば下面にＰ型電極とＮ型電極との両極を備える片面電極型であって、基板２１３の実装面に例えばダイボンディングされることによって前記基板２１３の配線パターンと接続されている。
【００４８】
各光源ユニット２１０を例えば図９のような状態にすれば、半導体発光素子２１４の出射方向を揃えることができ、照明範囲を小さくすることができる。一方、各光源ユニット２１０を例えば図８のような状態にすれば、半導体発光素子２１４の出射方向を異ならしめることができ、照明範囲を大きくすることができる。さらに、各光源ユニット２１０を同じ方向に同じ回転角度で回転させれば、照明範囲の大きさを変えることなく、照明範囲の位置を変えることもできる。
【００４９】
（第２の実施形態の変形例）
図１１は、第２の実施形態の変形例に係る光源ユニットを示す斜視図である。第２の実施形態の変形例に係る光源ユニット２７０は、筐体２７１を備え、当該筐体２７１の素子搭載面２７２に複数の半導体発光素子２７３を有する半導体発光装置２７４が搭載されている。第２の実施形態に係る光源ユニット２１０の筐体２１１は略四角筒状であったが、第２の実施形態の変形例に係る光源ユニット２７０は略六角筒状である。
【００５０】
このように、筐体の形状は略四角筒状に限定されず、略六角筒状であっても良いし、その他の多角形の筒状であっても良い。また、円筒状や楕円筒状など多角形以外の筒状であっても良い。さらに、筒状以外に例えば板状や柱状などその他の形状であっても良い。
光源ユニット２７０の筐体２７１の長手方向一端部には円柱状の軸体２７５が、長手方向他端部には円筒状の筒体２７６が設けられている。光源ユニット２７０同士は、一方の光源ユニット２７０の軸体２７５を他方の光源ユニット２７０の筒体２７６に差し込んで連結される。このように、光源ユニットの連結態様は第２の実施形態のように連結部材２４０を利用するものに限定されず、例えば、第２の実施形態の変形例のように、軸体２７５と筒体２７６の係合によるものであっても良い。
【００５１】
さらに、連結部材２４０を利用する場合であっても、例えば当該連結部材２４０をゴムなどの弾性を有する材料で作製し弾性変形可能とすれば、本体部２４１の両端部にスリット２４２を形成することによって舌片２４３を設けずとも、前記弾性変形により爪部２４４が連結孔２１６を通って筐体２１１の内部に入り込む構成とすることができる。
なお、光源ユニット２７０は軸体２７５を中心軸として３６０°回転自在である。また、光源ユニット２７０同士の電気的な接続は、軸体２７５と筒体２７６との接触により行われる。
【００５２】
［第３の実施形態］
図１２及び図１３は第３の実施形態に係る照明装置を示す斜視図、図１４は一部破断平面図である。
図１２〜１４に示すように、第３の実施形態に係る照明装置３００は、交互に直列に連結されて略Ｃ形状の連結体３０１を構成する複数の光源ユニット３１０及び複数の方向転換ユニット３２０と、前記連結体３０１の両端部を連結する１つの口金ユニット３３０とを備え、環形蛍光ランプの規格寸法に準じた形状を有する。なお、本願において環形蛍光ランプとは、ＪＩＳ  Ｃ  ７６０１に定義されている環形蛍光ランプ（一般照明用）である。照明装置３００は、環形蛍光ランプの規格寸法に準じた形状を有するため、環形蛍光ランプの代替品として既存の灯具に取り付けて使用することができる。
【００５３】
第３の実施形態に係る照明装置３００において、第１の光源ユニットとは複数の光源ユニット３１０のうちのいずれか１つであり、第２の光源ユニットとは複数の光源ユニット３１０のうちの前記第１の光源ユニット以外のいずれか１つである。
図１４に示すように、光源ユニット３１０は、第２の実施形態に係る光源ユニット２１０と同様の構成であって、略正四角筒状の筐体３１１を備え、当該筐体３１１の素子搭載面３１２には基板３１３を介して複数の半導体発光素子３１４が搭載されている。筐体３１１の両方の開口はそれぞれ略正方形の壁体３１５で塞がれており、当該壁体３１５の略中央には円形の連結孔３１６が形成されている。
【００５４】
方向転換ユニット３２０は、中空の台形柱状であって、連結体３０１連結方向両側にそれぞれ光源ユニット３１０が連結されている。方向転換ユニット３２０の連結方向両側に位置する一対の壁体３２１は、それぞれ光源ユニット３１０の壁体３１５と同じ大きさの正方形である。各壁体３１５の中央には、光源ユニット３１０の連結孔３１６と同じ大きさの円形の連結孔３２２が形成されており、当該連結孔３２２を利用して光源ユニット３１０が連結される。
【００５５】
図１４に示すように、一対の壁体３２１のなす角度αが４５°であるため、方向転換ユニット３２０を介して連結された２つの光源ユニット３１０は、互いの筐体３１１の筒軸が４５°の角度で交差する配置となる。このように、方向転換ユニット３２０を介して２つの光源ユニット３１０を連結すると、それら光源ユニット３１０の連結方向を転換することができる。
【００５６】
図１４に示すように、光源ユニット３１０と方向転換ユニット３２０とは、連結部材２４０の一端側を光源ユニット３１０における方向転換ユニット３２０側の連結孔３１６に挿入し，前記連結部材２４０の他端側を前記方向転換ユニット３２０における前記光源ユニット３１０側の連結孔３２２に挿入することで連結されている。連結部材２４０は、第２の実施形態に係る連結部材２４０と同じ部材であるため説明を省略する。
【００５７】
連結孔３２２に連結部材２４０の一端側又は他端側を押し込むと、爪部２４４が連結孔３２２を通って方向転換ユニット３２０の内部に入り込む。連結部材２４０の外径は爪部２４４において連結孔３２２の径よりも大きいが、舌片２４３のばね作用によって前記連結孔３２２を通過する際には前記爪部２４４同士が互いに近づくよう前記連結部材２４０が変形するため、前記爪部２４４は前記連結孔３２２を通過することができる。
【００５８】
方向転換ユニット３２０の内部に爪部２４４が入り込むと、舌片２４３のばね作用により連結部材２４０は元の形状に戻るため、前記爪部２４４が壁体３２１に引っ掛かって連結部材２４０が連結孔３２２から抜けなくなる。なお、光源ユニット３１０の壁体３１５の厚みと方向転換ユニット３２０の壁体３２１の厚みとの総和を、連結部材２４０の長手方向両側に位置する爪部２４４間の距離Ｌ（図９参照）と略同じにすることにより、前記光源ユニット３１０と前記方向転換ユニット３２０とを前記壁体３１５と前記壁体３２１との間に隙間がないように連結することができる。
【００５９】
各方向転換ユニット３２０は、連結部材２４０から独立して当該連結部材２４０を中心軸として（本体部２４１の筒軸を中心として）３６０°回転可能である。したがって、他の方向転換ユニット３２０や光源ユニット３１０からも独立して３６０°回転可能である。すなわち各光源ユニット３１０も方向転換ユニット３２０から独立して３６０°回転可能である。
【００６０】
光源ユニット３１０を回転させると、その回転によって素子搭載面３１２の傾きが変わる。素子搭載面３１２は平面であって、基板３１３はその素子実装面が前記素子搭載面３１２と平行になるようにして前記素子搭載面３１２上に設けられている。そして、半導体発光素子３１４は、主として基板３１３の素子実装面と直交する方向、すなわち、素子搭載面３１２と直交する方向に白色光を出射する。したがって、素子搭載面３１２の傾きが変われば半導体発光素子３１４の出射方向が変わる。
【００６１】
図１２に示すように、口金ユニット３３０は、筐体３３１と、当該筐体３３１に突設された一対の接続ピン３３２，３３３及び一対のダミーピン３３４，３３５とを備え、環形蛍光ランプ用口金の規格寸法に準じた形状を有する。図１４に示すように、筐体３３１は、方向転換ユニット３２０と略同様の形状であって、連結孔３３６を有する一対の壁体３３７を有する。
【００６２】
光源ユニット３１０と口金ユニット３３０とは、連結部材２４０の一端側を光源ユニット３１０における口金ユニット３３０側の連結孔３１６に挿入し，前記連結部材２４０の他端側を前記口金ユニット３３０の連結孔３３６に挿入することで連結されている。
連結孔３３６に連結部材２４０の他端側を押し込むと、爪部２４４が連結孔３３６を通って筐体３３１の内部に入り込む。連結部材２４０の外径は爪部２４４において連結孔３３６の径よりも大きいが、舌片２４３のばね作用によって前記連結孔３３６を通過する際には前記爪部２４４同士が互いに近づくよう前記連結部材２４０が変形するため、前記爪部２４４は前記連結孔２２６を通過することができる。
【００６３】
筐体３３１の内部に爪部２４４が入り込むと、舌片２４３のばね作用により連結部材２４０は元の形状に戻るため、前記爪部２４４が壁体２２５に引っ掛かって連結部材２４０が連結孔３３６から抜けなくなる。なお、光源ユニット３１０の壁体３１５の厚みと口金ユニット３３０の壁体３３７の厚みとの総和を、連結部材２４０の長手方向両側に位置する爪部２４４間の距離Ｌ（図９参照）と略同じにすることにより、前記光源ユニット３１０と前記口金ユニット３３０とを前記壁体３１５と前記壁体３３７との間に隙間がないように連結することができる。
【００６４】
口金ユニット３３０は、連結部材２４０から独立して当該連結部材２４０を中心軸として（本体部２４１の筒軸を中心として）３６０°回転可能である。したがって、口金ユニット２２０は全ての光源ユニット２１０からも独立して３６０°回転可能である。すなわち各光源ユニット３１０も口金ユニット３３０から独立して３６０°回転可能である。
照明装置３００は、口金ユニット３３０の一対の接続ピン３３２，３３３及び一対のダミーピン３３４，３３５を灯具（不図示）のソケットのピン孔に差し込むことによって前記灯具に取り付けられる。照明装置３００が灯具に取り付けられた状態において、口金ユニット３３０は前記灯具のソケットに固定されるため回転できない。この状態でいずれかの光源ユニット３１０の筐体３１１を掴んで回転させると、その回転により素子搭載面３１２の傾きが変化する。
【００６５】
半導体発光素子３１４には、口金ユニット３３０を介して灯具のソケットから電力が供給される。図１４に示すように、口金ユニット３３０の一対の接続ピン３３２，３３３は導線３６１，３６２を介して点灯回路ユニット３５０と電気的に接続されている。全ての半導体発光素子３１４は、導線３６３を介して直列に接続されており、さらに点灯回路ユニット３５０と電気的に接続されている。各導線３６１，３６２，３６３は連結部材２４０の内部を経由して引き廻されている。なお、点灯回路ユニット３５０は、第１の実施形態に係る点灯回路ユニット１５０と同様の構成を有し、いずれかの光源ユニット３１０の筐体３１１の内部に収容されている。
【００６６】
筐体３１１における基板３１３が設けられる位置には筐体３１１内部から素子搭載面３１２まで貫通する貫通孔３６４が形成されており、当該貫通孔３６４を介して導線３６３が各基板３１３と電気的に接続されている。
基板３１３には、導線３６３と半導体発光素子３１４とを電気的に接続するための配線パターン（不図示）が形成されている。半導体発光素子３１４は、例えば下面にＰ型電極とＮ型電極との両極を備える片面電極型であって、基板３１３の実装面に例えばダイボンディングされることによって前記基板３１３の配線パターンと接続されている。
【００６７】
各光源ユニット２１０を例えば図１２のような状態にすれば、半導体発光素子３１４の出射方向を揃えることができ、照明範囲を小さくすることができる。一方、各光源ユニット３１０を例えば図１３のような状態にすれば、半導体発光素子３１４の出射方向を異ならしめることができ、照明範囲を大きくすることができる。さらに、各光源ユニット３１０の回転角度を調整すれば照明範囲の位置を変えることもできる。
【００６８】
（第３の実施形態の変形例）
図１５は、第３の実施形態の変形例に係る照明装置を示す斜視図である。第３の実施形態の変形例に係る照明装置４００は、交互に直列に連結されて略Ｃ形状の連結体４０１を構成する複数の光源ユニット４１０及び複数の方向転換ユニット４２０と、前記連結体４０１の両端部を連結する１つの口金ユニット４３０とを備え、環形蛍光ランプの規格寸法に準じた形状を有する。第３の実施形態に係る照明装置３００は８つの光源ユニット３１０を備える略八角形の外観形状であったが、第３の実施形態の変形例に係る照明装置４００は４つの光源ユニット４１０を備える略四角形の外観形状である。
【００６９】
このように、光源ユニットの数は８つに限定されず複数であれば良い。また、照明装置の外観形状は略八角形に限定されず多角形であれば良く、さらには略円形や楕円形など環状であれば良い。
光源ユニット４１０は、筐体４１１を備え、当該筐体４１１の素子搭載面４１２に複数の半導体発光素子４１３を有する半導体発光装置４１４が搭載されている。また、筐体４１１の長手方向一端部には導電性を有する円柱状の軸体４１５が、長手方向他端部には導電性を有する円筒状の筒体４１６が設けられている。方向転換ユニット４２０及び口金ユニット４３０も、それぞれ円柱状の軸体４２１，４３１と円筒状の筒体４２２，４３２を備える。さらに、口金ユニット４３０は、一対の接続ピン４３３を有する。
【００７０】
光源ユニット４１０の軸体４１５をそれぞれ方向転換ユニット４２０又は口金ユニット４３０の筒体４２２，４３２に差し込み、前記方向転換ユニット４２０及び口金ユニット４３０の軸体４２１，４３１をそれぞれ光源ユニット４１０の筒体４１６に差し込むことで、前記光源ユニット４１０、方向転換ユニット４２０及び口金ユニット４３０を連結する。なお、軸体４１５，４２１，４３１の外径と筒体４１６，４２２，４３２の内径とは略同じである。
【００７１】
このように、光源ユニット、方向変換ユニット及び口金ユニットの連結態様は第３の実施形態のように連結部材２４０を利用するものに限定されず、例えば、第３の実施形態の変形例のように、軸体４１５，４２１，４３１と筒体４１６，４２２，４３２との係合によるものであっても良い。
なお、光源ユニット４１０は軸体４１５，４２１，４３１を中心軸として３６０°回転自在である。また、光源ユニット４１０同士の電気的な接続は、軸体４１５，４２１，４３１と筒体４１６，４２２，４３２との接触により行われる。
【００７２】
［第４の実施形態］
図１６は第４の実施形態に係る照明装置を示す正面図、図１７は斜視図、図１８は照明範囲の制御態様を説明するための図であって、（ａ）は照明範囲を小さくする場合を示す図、（ｂ）は照明範囲を大きくする場合を示す図である。
図１６〜１８に示すように、第４の実施形態に係る照明装置５００は、複数の光源ユニット５１０と、それら光源ユニット５１０を支持する枠体５２０とを備える。
【００７３】
各光源ユニット５１０は、断面が長方形で長尺板状の筐体５１１を備え、当該筐体５１１の一方の主面が素子搭載面５１２となっており、当該素子搭載面５１２に複数の半導体発光素子５１３を有する半導体発光装置５１４が搭載されている。また、筐体５１１長手方向の両端部のそれぞれには前記筐体５１１の長手方向端面から突出する断面円形で棒状の支持部材５１５が設けられている。
【００７４】
枠体５２０は、垂直かつ平行に配置された一対の縦桟５２１，５２２と、それら縦桟５２１，５２２の上端間及び下端間をそれぞれ連結する水平かつ平行に配置された一対の横桟５２３，５２４とを備え、前記一対の縦桟５２１，５２２の互いに対抗する面には、前記縦桟５２１，５２２の長手方向に沿って一列に等間隔を空けて穴部（不図示）が設けられており、当該穴部に光源ユニット５１０の支持部材５１５が差し込まれている。
【００７５】
各筐体５１１は一対の支持部材５１５を中心軸として枠体５２０から独立して３６０°回転可能であって、前記支持部材５１５の軸心が光源ユニット５１０の回転中心となる仮想軸である。各光源ユニット５１０は、それぞれの仮想軸が同一平面上で間隔を空けて水平かつ平行に並ぶように配置されている。光源ユニット５１０を回転させると、その回転によって素子搭載面５１２の傾きが変わる。素子搭載面５１２は平面であって、半導体発光素子５１３は主として素子搭載面５１２と直交する方向に白色光を出射する。素子搭載面５１２の傾きが変われば半導体発光素子５１３の出射方向も変わる。
【００７６】
図１６に示すように、全ての光源ユニット５１０の素子搭載面５１２が同一平面上に含まれるように前記各光源ユニット５１０の回転角度を調整した場合、隣接する光源ユニット５１０間に隙間は空かず、かつ、それら隣接する光源ユニット５１０の短手方向端縁部同士は重ならない。なお、光源ユニット５１０を回転させる際に隣接する光源ユニット５１０の短手方向端縁部が衝突しないように、それら短手方向端縁部はＲ形状に処理されている。
【００７７】
全ての半導体発光素子５１３は導線５３１によって接続されている。より具体的には、それぞれの光源ユニット５１０において半導体発光素子５１３は直列に接続されており、光源ユニット５１０間では並列に接続されている。導線５３１はコード５３２を介して点灯回路ユニット５４０と電気的に接続されており、さらに、当該点灯回路ユニット５４０はコード５３３を介してプラグ５５０に接続されている。プラグ５５０をコンセント（不図示）に差し込み、点灯回路ユニット５４０のスイッチ５４１を入れると全ての半導体発光素子５１３が点灯する。
【００７８】
上記のような照明装置５００は、例えば窓に取り付けて使用する。窓の外から外光を部屋の中に取り入れたい場合は、図１７に示すように各光源ユニット５１０間に隙間が生じるようにそれら光源ユニット５１０の回転角度を調整する。一方、外光を取り入れる必要がない場合は、図１６に示すように各光源ユニット５１０間に隙間が生じないようにそれら光源ユニット５１０の回転角度を調整する。そして、照明が必要な場合は半導体発光素子５１３を点灯させる。
【００７９】
各光源ユニット５１０は、他の光源ユニット５１０から独立して回転可能である。したがって、光源ユニット５１０を例えば図１８（ａ）のような状態にすれば、半導体発光素子５１３の出射方向を拡散させることができ、照明範囲を大きくすることができる。一方、光源ユニット５１０を例えば図１８（ｂ）のような状態にすれば、半導体発光素子５１３の出射方向を集中させることができ、照明範囲を小さくすることができる。さらに、各光源ユニット５１０を同じ方向に同じ回転角度で回転させれば、照明範囲の大きさを変えることなく、照明範囲の位置を変えることもできる。
【００８０】
なお、照明装置５００は、各光源ユニット５１０の仮想軸が水平となるように配置されたものに限定されず、例えば各光源ユニット５１０の仮想軸が垂直となるように配置されたものであっても良い。また、光源ユニット５１０の筐体５１１は、断面が長方形で長尺板状のものに限定されず、例えば断面形状は長方形以外の多角形、円形、楕円形、円弧状などであっても良い。
【００８１】
図１９は、第４の実施形態の変形例に係る照明装置を示す斜視図である。照明装置５００は、図１９に示すように、各光源ユニット５１０が枠体５２０から取り外し可能な構成であっても良い。図１９に示す例では、上から２段目及び３段目の光源ユニット５１０が取り外されている。このような構成は、例えば、支持部材５１５を、筐体５１１の長手方向両端面５１１ａに対して出没自在としたり、縦桟５２１，５２２の少なくとも一方を、横桟５２３，５２４から取り外し可能としたりすれば、実現することができる。
【００８２】
さらに、上記光源ユニット５１０を取り外し可能な構成において、各光源ユニット５１０の位置を例えば前後や上下にずらすことができる構成としても良い。このような構成は、図１９に示すように、支持部材５１５を差し込むための穴部５１６を上記したように縦桟５２１，５２２の長手方向に沿って一列に等間隔を空けて設けるだけでなく、それら穴部５１６に加えて、例えば、各穴部５１６から前後方向（縦桟５２１，５２２の厚み方向、言い換えれば前記長手方向と直交する方向）にずらした位置にも支持部材５１５を差し込むための穴部５１７，５１８を設けることによって、実現することができる。
【００８３】
このような構成とした場合、基準となる穴部５１６よりも後方の穴部５１７に支持部材５１５が差し込まれた光源ユニット５１０（Ａ）は、基準となる穴部５１６に支持部材５１５が差し込まれた光源ユニット５１０（Ｂ）よりも後方に配置される。また、基準となる穴部５１６よりも前方の穴部５１８に支持部材５１５が差し込まれた光源ユニット５１０（Ｃ）は、基準となる穴部５１６に支持部材５１５が差し込まれた光源ユニット５１０（Ｂ）よりも前方に配置される。すなわち、各光源ユニット５１０を前後方向に段階的に移動可能である。
【００８４】
なお、各光源ユニット５１０に対応する穴部５１６〜５１８の個数は３個に限らず縦桟５２１，５２２の厚みに応じて適宜変更可能であり、また、穴部５１６〜５１８をずらす方向も、前後に限らず上下や斜め方向であっても良い。
［変形例］
以上、本発明に係る照明装置を第１〜第４の実施形態及びそれらの変形例に基づいて具体的に説明してきたが、本発明の内容は、上記の第１〜第４の実施形態及びそれらの変形例に限定されない。例えば、上記の第１〜第４の実施形態及びそれらの変形例の部分的な構成を適宜組み合わせてなる照明装置であっても良い。
【産業上の利用可能性】
【００８５】
本発明に係る照明装置は、直管形蛍光ランプや環形蛍光ランプの代替品としてだけではなく。照明用途一般に広く利用できる。
【符号の説明】
【００８６】
１００，２００，３００，４００，５００  照明装置。
１１０，１２０、２１０，２６０，３１０，４１０，５１０  光源ユニット
１１１，１２１、２１１，２６１，３１１，４１１，５１１  筐体
１１２，１２２，２１２，２６２，３１２，４１２，５１２  素子搭載面
１１４，１２５，２１４，３１４，４１３，５１３  半導体発光素子
１２２  スリット
２０１，３０１，４０１  連結体
２２０，２３０，３３０，４３０  口金ユニット
２４０  連結部材
５１５  支持部材
【図１】
2011082075.tif 000003
【図２】
2011082075.tif 000004
【図３】
2011082075.tif 000005
【図４】
2011082075.tif 000006
【図５】
2011082075.tif 000007
【図６】
2011082075.tif 000008
【図７】
2011082075.tif 000009
【図８】
2011082075.tif 000010
【図９】
2011082075.tif 000011
【図１０】
2011082075.tif 000012
【図１１】
2011082075.tif 000013
【図１２】
2011082075.tif 000014
【図１３】
2011082075.tif 000015
【図１４】
2011082075.tif 000016
【図１５】
2011082075.tif 000017
【図１６】
2011082075.tif 000018
【図１７】
2011082075.tif 000019
【図１８】
2011082075.tif 000020
【図１９】
2011082075.tif 000021